【手続補正書】
【提出日】平成20年2月14日(2008.2.14)
【手続補正１】
【補正対象書類名】明細書
【補正対象項目名】発明の名称
【補正方法】変更
【補正の内容】
【発明の名称】印刷制御装置、制御方法ならびにプログラム
【手続補正２】
【補正対象書類名】明細書
【補正対象項目名】特許請求の範囲
【補正方法】変更
【補正の内容】
【特許請求の範囲】
【請求項１】
コンテンツ提供装置とネットワークを介して通信する印刷制御装置であって、
前記印刷制御装置に接続されたプリンタ装置に関するプリンタ情報を記憶する手段と、
コンテンツデータの印刷に関する制限を示す制限情報および前記コンテンツデータを一意に特定可能なコンテンツコードを前記コンテンツ提供装置から受信する手段と、
前記プリンタ情報および前記制限情報および前記コンテンツコードを用いてプリント条件指定画面を描画する手段と、
前記プリント条件指定画面にしたがって入力されるプリント条件の設定を取得する手段と、
前記プリント条件の設定にしたがって特定されるコンテンツデータを前記コンテンツ提供装置から受信する手段と、
前記コンテンツデータおよび前記プリント条件の設定を用いて印刷データを作成する手段と
を備えたことを特徴とする印刷制御装置。
【請求項２】
前記印刷データを前記プリンタ装置へ送信する手段をさらに備えたことを特徴とする請求項１記載の印刷制御装置。
【請求項３】
前記コンテンツデータの閲覧用データをさらに受信する手段を備え、
前記プリント条件指定画面はさらに前記閲覧用データを用いて描画されることを特徴とする請求項１または２記載の印刷制御装置。
【請求項４】
前記プリンタ情報は用紙サイズ、紙質、印刷部数およびプリンタ種別のうち少なくとも１つを含むことを特徴とする請求項１乃至３のいずれか１項記載の印刷制御装置。
【請求項５】
前記制限情報は前記コンテンツデータの印刷サイズ、用紙サイズ、紙質、印刷部数およびプリンタ種別のうち少なくとも１つを含むことを特徴とする請求項１乃至４のいずれか１項記載の印刷制御装置。
【請求項６】
コンテンツ提供装置とネットワークを介して通信する印刷制御装置の制御方法であって、
前記印刷制御装置に接続されたプリンタ装置に関するプリンタ情報を記憶するステップと、
コンテンツデータの印刷に関する制限を示す制限情報および前記コンテンツデータを一意に特定可能なコンテンツコードを前記コンテンツ提供装置から受信するステップと、
前記プリンタ情報および前記制限情報および前記コンテンツコードを用いてプリント条件指定画面を描画するステップと、
前記プリント条件指定画面にしたがって入力されるプリント条件の設定を取得するステップと、
前記プリント条件の設定にしたがって特定されるコンテンツデータを前記コンテンツ提供装置から受信するステップと、
前記コンテンツデータおよび前記プリント条件の設定を用いて印刷データを作成するステップと
を備えたことを特徴とする制御方法。
【請求項７】
コンピュータに、
予め記憶された、前記コンピュータに接続されたプリンタ装置に関するプリンタ情報を取得するステップと、
コンテンツ提供装置からネットワークを介して送信された、コンテンツデータの印刷に関する制限を示す制限情報および前記コンテンツデータを一意に特定可能なコンテンツコードを取得するステップと、
前記プリンタ情報および前記制限情報および前記コンテンツコードを用いてプリント条件指定画面を描画させるステップと、
前記プリント条件指定画面にしたがって入力されるプリント条件の設定を取得するステップと、
前記プリント条件の設定にしたがって特定されて前記コンテンツ提供装置から前記ネットワークを介して送信されたコンテンツデータを取得するステップと、
前記コンテンツデータおよび前記プリント条件の設定を用いて印刷データを作成するステップと
を実行させることを特徴とするプログラム。
【手続補正３】
【補正対象書類名】明細書
【補正対象項目名】００４０
【補正方法】変更
【補正の内容】
【００４０】
図３中２０１はサービスプロバイダコンピュータ１３０である情報処理装置を制御するＣＰＵである。２０２はＲＡＭであり、ＣＰＵ２０１の主メモリとして、及び実行プログラムの領域や該プログラムの実行エリアならびにデータエリアとして機能する。２０３はＣＰＵ２０１の動作処理手順を記憶しているＲＯＭである。ＲＯＭ２０３にはプリントサーバの機器制御を行うシステムプログラムである基本ソフト（ＯＳ）を記録したプログラムＲＯＭと、システムを稼働するために必要な情報等が記録されたデータＲＯＭがある。ＲＯＭ２０３の代わりに後述のＨＤＤ２０９を用いる場合もある。２０４はネットワークインターフェース（ＮＥＴＩＦ）であり、ネットワークを介して利用者コンピュータ１１０などネットワーク接続された他の情報処理装置とのデータ転送を行うための制御や接続状況の診断を行う。２０５はＶＲＡＭで、情報処理装置の稼働状態を示す後述するＣＲＴ２０６の画面に表示される画像を展開し、その表示の制御を行う。２０６は表示装置であって、例えばディスプレイなどである。以下ＣＲＴと記す。
【手続補正４】
【補正対象書類名】明細書
【補正対象項目名】０１３１
【補正方法】変更
【補正の内容】
【０１３１】
オーダ受注手段６０２は前記パラメータを解析し、第１パラメータよりコンテンツプロバイダコード並びにコンテンツコードを特定し、コンテンツプロバイダ管理テーブル６０５を前記パラメータにより特定されたコンテンツプロバイダコードで検索を行い、該検索結果のレコード並びに前記パラメータにより特定されたコンテンツコードを用いてコンテンツプリント情報パスを生成する。第２パラメータ、第３パラメータはテキストファイルとしてＨＤＤ２０９のワーク領域に格納する。次に前記生成されたコンテンツプリント情報パスを用いてコンテンツプロバイダコンピュータ１２０に対してコンテンツプリント情報７００の取得要求を行う（以上、１００４）。
【手続補正５】
【補正対象書類名】明細書
【補正対象項目名】０２７３
【補正方法】変更
【補正の内容】
【０２７３】
“CONTENTSCODE=ABC0001”はプリントオーダ情報１９００の対象がコンテンツコード“ABC0001”にて特定されるコンテンツであることを示す。
【手続補正６】
【補正対象書類名】明細書
【補正対象項目名】０３００
【補正方法】変更
【補正の内容】
【０３００】
次にオーダ作成手段１５０５はプリントサービスプロバイダコンピュータ１３０に対してプリントサービス情報を送信するようプリントサービス情報送信要求をプリントサービスプロバイダコンピュータ１３０に対して発する（以上、２００４）。
【手続補正７】
【補正対象書類名】明細書
【補正対象項目名】０３５６
【補正方法】変更
【補正の内容】
【０３５６】
以上によりコンテンツプロバイダコンピュータ１２１中に格納されるコンテンツ閲覧画面よりのプリント指示によりデータセンタ１４０中のコンテンツ実体のプリントが実現される。
【手続補正８】
【補正対象書類名】明細書
【補正対象項目名】０４８５
【補正方法】変更
【補正の内容】
【０４８５】
オーダ受注手段２８０２は前記パラメータを解析し、第１パラメータよりコンテンツプロバイダコード並びにコンテンツコードを特定し、コンテンツプロバイダ管理テーブル２８０５を前記パラメータにより特定されたコンテンツプロバイダコードで検索を行い、該検索結果のレコード並びに前記パラメータにより特定されたコンテンツコードを用いてコンテンツプリント情報パスを生成する。第２パラメータ、第３パラメータはテキストファイルとしてＨＤＤ２４０９のワーク領域に格納する。次に前記生成されたコンテンツプリント情報パスを用いてコンテンツプロバイダコンピュータ２３２０に対してコンテンツプリント情報２９００の取得要求を行う（以上、３２０４）。
【手続補正９】
【補正対象書類名】明細書
【補正対象項目名】０６８６
【補正方法】変更
【補正の内容】
【０６８６】
プリントオーダデータを受信したプリントサーバ２３５０中のオーダ管理手段３７０１は、該受信したプリントオーダデータならびにオーダコードをＨＤＤ２４０９に保存すると共に印刷手段３７０２に通知する（以上、４４１５）。